(57)【特許請求の範囲】
【請求項１】
プラグの栓刃がそれぞれ挿入される複数の栓刃挿入口が前面に設けられ、施工面に露出した状態で取り付けられる器体と、器体の内部に納装され各栓刃挿入口から差し込まれる栓刃にそれぞれ電気的に接続する複数の刃受部と、少なくとも一つの刃受部に設けられ栓刃が接続した状態で栓刃と係合してプラグの抜け止めを行う抜止部と、器体の内部に納装され各刃受部にそれぞれ電気的に接続される複数の端子板、及び、各端子板に外部から挿入される外部電線を弾接させる複数の鎖錠ばねからなる速結端子構造の端子と、を備え、前記刃受部は前記端子板にかしめ固定されており、前記器体はボディとカバーとを結合して構成され、ボディ及びカバーの結合状態において、ボディ又はカバーの内の一方との間で、前記刃受部と前記端子板とのかしめ部を挟持する第１の押さえリブを、ボディ又はカバーの内の他方に設けたことを特徴とする露出コンセント。
【請求項２】
前記器体はボディとカバーとを結合して構成され、ボディ及びカバーの結合状態において、ボディ又はカバーの内の一方との間で、前記鎖錠ばねと対向する前記端子板の部位を挟持する第２の押さえリブを、ボディ又はカバーの内の他方に設けたことを特徴とする請求項１記載の露出コンセント。
【請求項３】
前記刃受部は、栓刃に電気的に接続される刃受ばねと、該刃受ばねから連続一体に延設され前記端子板にかしめ固定される取付片とを有し、取付片を、刃受ばねよりも、端子板における鎖錠ばねとの対向部位からより遠い位置に配置したことを特徴とする請求項１又は２記載の露出コンセント。
【請求項４】
前記栓刃挿入口は、電源用の栓刃が挿入される電源側栓刃挿入口と、接地極用の栓刃が挿入される接地側栓刃挿入口とで構成され、前記刃受部は、電源側栓刃挿入口から挿入される電源用の栓刃に接続される電源側刃受部と、接地側栓刃挿入口から挿入される接地極用の栓刃に接続される接地側刃受部とで構成されることを特徴とする請求項１乃至３の何れかに記載の露出コンセント。
【発明の詳細な説明】
【０００１】
【発明の属する技術分野】
本発明は、工事現場などに仮設して用いられる露出コンセントに関するものである。
【０００２】
【従来の技術】
この種の露出コンセントとしては、それぞれ平板状に形成され、互いに平行に配設された一対の平行栓刃がそれぞれ挿入される栓刃挿入口が器体の前面に開口し、この栓刃挿入口に臨むようにして刃受部を器体内部に収納したものが従来より提供されている。
【０００３】
【発明が解決しようとする課題】
従来の露出コンセントでは、栓刃挿入口に対して平行栓刃をまっすぐに抜き差しするようになっており、平行栓刃の抜け止めがされていなかったため、仮設現場などで使用する場合に、足でコードを引っ掛かけるなどしてコードに引っ張り力が加わると、露出コンセントからプラグが抜けてしまうという問題があった。
【０００４】
本発明は上記問題点に鑑みて為されたものであり、その目的とするところは、誤ってプラグが抜けるのを防止するとともに、刃受部と端子板とのかしめ部に外力が加わってかしめが外れるのを防止した露出コンセントを提供することにある。
【０００５】
【課題を解決するための手段】
上記目的を達成するために、請求項１の発明では、プラグの栓刃がそれぞれ挿入される複数の栓刃挿入口が前面に設けられ、施工面に露出した状態で取り付けられる器体と、器体の内部に納装され各栓刃挿入口から差し込まれる栓刃にそれぞれ電気的に接続する複数の刃受部と、少なくとも一つの刃受部に設けられ栓刃が接続した状態で栓刃と係合してプラグの抜け止めを行う抜止部と、器体の内部に納装され各刃受部にそれぞれ電気的に接続される複数の端子板及び各端子板に外部から挿入される外部電線を弾接させる複数の鎖錠ばねからなる速結端子構造の端子と、を備え、刃受部は端子板にかしめ固定されており、器体はボディとカバーとを結合して構成され、ボディ及びカバーの結合状態において、ボディ又はカバーの内の一方との間で、刃受部と端子板とのかしめ部を挟持する第１の押さえリブを、ボディ又はカバーの内の他方に設けたことを特徴とし、端子板と鎖錠ばねとで構成される速結端子構造の端子を備えているので、特別な工具を用いることなく外部電線を端子部に容易に接続することができ、しかも抜止部で栓刃の抜け止めを行っているので、電源コードに足が引っ掛かかるなどしてプラグに力が加わったとしても栓刃が抜けるのを防止できる。
【０００６】
また、電源コードに足を引っ掛けるなどしてプラグに力が加わった場合、抜止部で抜け止めを行っているために刃受部に外力が加わるが、刃受部と端子板とのかしめ部を第１の押さえリブとボディ又はカバーとの間で挟持しているので第１の押さえリブでプラグに加わる外力を受けることができ、かしめ部に外力が加わってかしめが外れるのを防止できる。
【０００７】
請求項２の発明では、請求項１の発明において、器体はボディとカバーとを結合して構成され、ボディ及びカバーの結合状態において、ボディ又はカバーの内の一方との間で、鎖錠ばねと対向する端子板の部位を挟持する第２の押さえリブを、ボディ又はカバーの内の他方に設けたことを特徴とし、電源コードに足を引っ掛けるなどしてプラグに力が加わった場合、抜止部で抜け止めを行っているために刃受部に外力が加わり、刃受部に加わった外力によって端子板が変形する虞があるが、端子板を第２の押さえリブとボディ又はカバーとの間で挟持しているので第２の押さえリブで端子板に加わる外力を受けることができ、端子板が変形して電線の抜けや接触不良が発生するのを防止できる。
【０００８】
請求項３の発明では、請求項１又は２の発明において、刃受部は、栓刃に電気的に接続される刃受ばねと、該刃受ばねから連続一体に延設され端子板にかしめ固定される取付片とを有し、取付片を、刃受ばねよりも、端子板における鎖錠ばねとの対向部位からより遠い位置に配置したことを特徴としている。取付片が、刃受ばねよりも、端子板における鎖錠ばねとの対向部位からより近い位置に配置されていると、プラグに引っ張り力が加わって刃受ばねに外力が加わった場合、刃受ばねに加わった外力の影響で端子板における鎖錠ばねとの対向部位が変形する虞があるが、取付片を、刃受ばねよりも、端子板における鎖錠ばねとの対向部位からより遠い位置に配置しているので、鎖錠ばねとの対向部位からより遠い位置で刃受部をかしめ固定することができ、刃受ばねに加わった外力の影響を端子板における鎖錠ばねとの対向部位が受けにくくなるから、鎖錠ばねとの対向部位が変形して外部電線の脱落や接触不良などの不具合が発生するのを防止できる。
【００１０】
請求項４の発明では、請求項１乃至３の何れかの発明において、栓刃挿入口は、電源用の栓刃が挿入される電源側栓刃挿入口と、接地極用の栓刃が挿入される接地側栓刃挿入口とで構成され、刃受部は、電源側栓刃挿入口から挿入される電源用の栓刃に接続される電源側刃受部と、接地側栓刃挿入口から挿入される接地極用の栓刃に接続される接地側刃受部とで構成されることを特徴とし、接地極が設けられていないプラグと、接地極付きのプラグの両方を接続することができる。
【００１１】
【発明の実施の形態】
本発明の実施の形態を図面を参照して説明する。
【００１２】
（実施形態１）
本発明の実施形態１を図１乃至図６を参照して説明する。尚、以下に説明する各実施形態では、特にことわりがなければ、図２（ａ）の向きにおいて上下左右の方向を規定し、また図２（ａ）における正面を前面という。したがって、図２（ｂ）における上端は後端になる。
【００１３】
露出コンセントＡの器体１は合成樹脂製のボディ２及びカバー３から構成される。ボディ２の四隅近傍にはタッピングねじからなる組立ねじ１４を挿通する挿通孔２ａが形成されており、この挿通孔２ａに挿通した組立ねじ１４を挿通孔２ａに対応してカバー３の背面側に形成されたねじ穴（図示せず）に螺着することで、ボディ２とカバー３とが結合される。
【００１４】
ボディ２は前面が開口する略矩形箱状に形成され、四隅には器体１を施工面に取り付けるための取付ねじ（図示せず）を挿通する長孔状のねじ挿通孔２ｂが形成されている。ボディ２前面の略中央部には複数の隔壁８が底面より立設されており、これら隔壁８によって電源用の端子板２０Ａ，２０Ｂと接地極用の端子板２０Ｃとを各々収納する収納部９ａ，９ｂ，９ｃが形成されている。
【００１５】
ボディ２の長手方向の一端側の内部空間は、ボディ２の長手方向に沿って走る２条の隔壁１０で３つの収納空間に分離され、各収納空間に３つの端子部（電源用の端子部２２Ａ，２２Ｂ、接地極用の端子部２２Ｃ）が収納される。また、このボディ２の端部にはカバー３と組み合わせた状態で電線挿入口１１となる３つの凹部１１ａが形成してある。なお、これらの凹部１１ａは、電線挿入口１１の内部が奧に行くほど細径となり、電線の芯線が後述する端子部２２Ａ〜２２Ｃの接触片２２ｂと鎖錠ばね１５との間に確実に位置決めされる形状に形成してある。
【００１６】
ここで、電源用の一方の端子板２０Ａは、図１、図３及び図５に示すように、外部電線が接続される端子部２２Ａと、一対の刃受部２１Ａ，２１Ａがかしめ等により固定される接続片２３Ａとで構成され、端子部２２Ａと接続片２３Ａとは導電材料の板金に折曲加工を施すことによって連続一体に形成してある。
【００１７】
端子部２２Ａは断面コ字形に形成されており、中央片２２ａを収納空間の一内側面に当接させ、この中央片２２ａのカバー３側から横向きに、内側面に外部電線の芯線が接触する接触片２２ｂを延設するとともに、中央片２２ａのボディ２側から横向きに、内側面に鎖錠ばね１５が当接する当接片２２ｃを延設している。尚、当接片２２ｃの中央寄りの端部は内側に折曲され、鎖錠ばね１５の移動を規制する規制片２２ｄが形成されている。さらに、中央片２２ａと当接片２２ｃとの角部には、鎖錠ばね１５を押さえる押さえ片２２ｅが切り起こしにより形成されている。また、中央片２２ａの中央寄りの端部からは接続片２３Ａが連続一体に延設されており、この接続片２３Ａの略中央部のボディ２側には、ボディ２の隔壁１２と嵌合してボディ２に位置決めして仮止めするための位置決め溝２３ａが形成してある。
【００１８】
刃受部２１Ａは、互いに対向配置されて平板状の栓刃を挟持する円弧状の一対の刃受ばね２１ａ，２１ｂと、刃受ばね２１ａ，２１ｂの基端縁同士を連続一体に連結する連結片２１ｃとが、弾性を有する導電性金属材料によって一体に形成されたもので、一方の刃受ばね２１ａの基部からは接続片２３Ａにかしめ固定される取付片２１ｄが連続一体に延設されている。なお、一対の刃受ばね２１ａ，２１ｂは、それぞれ先端側が幅広に形成され、刃受ばね２１ａ，２１ｂの間に栓刃を挿入し易くなっている。また、他方の刃受ばね２１ｂには、一方の刃受ばね２１ａと対向する部位に、平行栓刃に形成されている透孔（図示せず）と係合して、両刃受ばね２１ａ，２１ｂの間に挟持された平行栓刃を抜け止めする抜止部としての係合突起２１ｅが突設されている（図３及び図６参照）。また、取付片２１ｄには、接続片２３Ａに突設された突起２３ｃに嵌合する嵌合孔２１ｇが設けられており、かしめ鋲２６を接続片２３Ａに設けた挿通孔２３ｂと取付片２１ｄに設けた挿通孔２１ｆとに通してかしめ固定するとき、嵌合孔２１ｇに突起２３ｃを嵌合させることにより、取付片２１ｄ（すなわち刃受部２１Ａ）と接続片２３Ａとの位置合わせが行えるようにしている。
【００１９】
また、電源用のもう一方の端子板２０Ｂも、上述した端子板２０Ａと同様、外部電線が接続される端子部２２Ｂと、一対の刃受部２１Ｂ，２１Ｂがかしめ等により固定される接続片２３Ｂとで構成され、端子部２２Ｂと接続片２３Ｂとは導電材料の板金に折曲加工を施すことによって連続一体に形成してある。刃受部２１Ｂ及び端子部２２Ｂは、上述した端子板２０Ａの端子部２２Ａ及び刃受部２１Ａと同様の構造を有しているので、共通する構成には同一の符合を付してその説明は省略する。また、接続片２３Ｂの略中央部のボディ２側には、ボディ２の隔壁１２′と嵌合することによりボディ２に位置決めして仮止めするための位置決め溝２３ａ′が形成してある。
【００２０】
一方、接地極用の端子板２０Ｃは、図１及び図３に示すように、導電材料により帯板状に形成された接続片２３Ｃの一方の端部から接地端子板２４を連続一体に延設するとともに、他方の端部から断面コ字形の端子部２２Ｃを連続一体に延設してある。尚、端子部２２Ｃは、上述した端子板２０Ａの端子部２２Ａと同様の構造を有しているので、共通する構成には同一の符合を付してその説明は省略する。
【００２１】
接地端子板２４の略中央には、端子ねじ２５が螺合するねじ孔２４ａが設けられ、接地端子板２４の前面には複数の突条２４ｂが突設されている。また、端子ねじ２５のねじが形成されていない軸部には接地端子板２４との間で接地線の芯線を狭持する平板状の狭持板２５ａが取り付けてある。そして、ボディ２の凹部１１ａが設けられている側と反対側の長手方向端部には接地端子板２４を載置するコ字形の載置台１３が突設されており、載置台１３の各片で囲まれる空間に端子ねじ２５が配置されている。また、接続片２３Ｃの略中央部のボディ２側には、ボディ２の隔壁１２″と嵌合してボディ２に位置決めして仮止めするための位置決め溝２３ａ″が形成してある。
【００２２】
各端子部２２Ａ〜２２Ｃの接触片２２ｂと当接片２２ｃとの間にそれぞれ配置する鎖錠ばね１５は、弾性を有する導電材料の帯板の両端部を曲成することで中央片１５ｃの両端部に鎖錠片１５ａ及び接触片１５ｂが互いに対向するように形成されている。鎖錠片１５ａは中央片１５ｃとの連結部位から先端縁に向かって接触片２２ｂに近づく向きに傾斜し、接触片１５ｂは略Ｓ字形に曲成されている。また、中央片１５ｃは略平板状に形成されていて当接片２２ｃに当接する。而して、電線挿入口１１を通して電線の芯線が鎖錠ばね１５の鎖錠片１５ａ及び接触片１５ｂと端子部２２Ａ〜２２Ｃの接触片２２ｂとの間に挿入されると、鎖錠片１５ａの先端が芯線に食い込んで抜け止めが為されるとともに、鎖錠片１５ａ及び接触片１５ｂと端子部２２Ａ〜２２Ｃの接触片２２ｂとの間に芯線が弾性狭持されて端子部２２Ａ〜２２Ｃに電線の芯線が機械的且つ電気的に接続される。
【００２３】
このように端子部２２Ａ〜２２Ｃを速結端子構造とすることで、ねじ締め式の場合に比較して電線の結線作業が容易に行え、しかもねじ締め式に比較して端子部２２Ａ〜２２Ｃが小型化できるため、器体１の前後方向の厚み寸法を小さくすることができる。
【００２４】
一方、カバー３は背面が開口する略十字形の箱状に形成され、内部の構造はボディ２と略同じ構造に形成されている。カバー３の前面略中央には平面視略矩形のボス部３ａが突設されている。このボス部３ａにはプラグの差込口５が上下に並べて２口設けられ、各差込口５には円弧状の２つの栓刃挿入口５ａ，５ｂが開口している。各差込口５の栓刃挿入口５ａ，５ｂは同一円周上にあり、ボディ２とカバー３とを結合した完成状態において各栓刃挿入口５ａ，５ｂが器体１内に収納された各刃受部２１Ａ，２１Ｂに対向している。なお、栓刃挿入口５ａ，５ｂの配置は、定格１５Ａ、１２５Ｖの極配置（ＪＩＳ  Ｃ  ８３０３参照）のプラグに対応しており、このプラグでは互いに平板状に形成された一対の栓刃が平行に配設されている。
【００２５】
カバー３の背面側には、図４及び図６に示すように、ボディ２とカバー３とを結合した完成状態において、各一対のかしめ鋲２６がかしめ固定された接続片２３Ａ，２３Ｂの部位（かしめ部）をボディ２の底壁との間で挟持する押さえリブ３ｇ（第１の押さえリブ）と、各端子板２０Ａ〜２０Ｃの鎖錠ばね１５と対向する部位（すなわち接触片２２ｂ）に当接して各接触片２２ｂをボディ２の底壁との間で挟持する押さえリブ３ｈ（第２の押さえリブ）とが突設されている。而して、露出コンセントにプラグの栓刃が差し込まれ、抜け止めされている状態で、プラグのコードを足で引っ掛けるなどしてプラグに引っ張り力が加わると、プラグの栓刃と係合した刃受部２１Ａ，２１Ｂのかしめ部や端子板２０Ａ，２０Ｂに大きな力が加わって、かしめ部が外れたり、刃受部２１Ａ，２１Ｂ或いは端子板２０Ａ，２０Ｂが変形したり、端子板２０Ａ，２０Ｂの変形によって電線の外れや接触状態が不安定になるといった不具合が発生する虞があるが、本実施形態では、カバー３の押さえリブ３ｇとボディ２の底壁との間で、かしめ鋲２６によりかしめ固定される接続片２３Ａ，２３Ｂの部位を挟持するとともに、カバー３の押さえリブ３ｈとボディ２の底壁との間で各端子板２０Ａ…の接触片２２ｂを挟持しているので、刃受部２１Ａ，２１Ｂや端子板２０Ａ…に加わった力を押さえリブ３ｇ，３ｈで受けることができ、かしめ部の外れや、刃受部２１Ａ，２１Ｂ及び端子板２０Ａ…の変形や、電線の外れなどを防止できる。
【００２６】
また、カバー３の長手方向の一端側には、接地端子板２４を前面側に露出する開口部３ｂがボス部３ａの下側に形成されている。このように開口部３ｂをボス部３ａと分離して形成することで外観上の見栄えを良くすることができる。また、開口部３ｂのボス部３ａ側の端縁には扉１６の支持片１６ｃが嵌合する嵌合溝３ｃが形成されている。この扉１６は弾性を有する合成樹脂成型品からなり、支持片１６ｃの一端縁に薄肉の可撓部１６ｂを介して主片１６ａが一体に形成されている。而して、支持片１６ｃを開口部３ｂの嵌合溝３ｃに嵌合することで扉１６がカバー３の前面に取り付けられ、可撓部１６ｂを撓ませることで主片１６ａが開口部３ｂを開閉自在に塞ぐものである。なお、主片１６ａの自由端縁には扉１６（主片１６ａ）を開く際に指や工具等を挿入するための凹部１６ｄが設けてある。
【００２７】
ところで、カバー３をボディ２に結合する際には、図４に示すように各端子板２０Ａ〜２０Ｃの端子部２２Ａ〜２２Ｃに対応する箇所に解除釦１７が収められる。この解除釦１７は、３個の鎖錠ばね１５の鎖錠片１５ａを接触片２２ｂから同時に押し離して、電線の芯線の弾性接続状態を同時に解除するもので、解除釦１７の背面からは各鎖錠ばね１５の鎖錠片１５ａの一端をそれぞれ押圧する押圧部１７ａが突設される。また、解除釦１７の前面からは解除釦１７を操作するための操作ハンドル１７ｂが延設されている。操作ハンドル１７ｂは手で操作可能な大きさに形成されており、カバー３の長手方向の他端側に設けた開口３ｄからカバー３の前面に露出しているので、特別な工具を用いることなく、手操作によって電線の芯線の弾性接続状態を解除することができ、電線の取り外しを簡単に行うことができる。ここで、操作ハンドル１７ｂを押し下げると、解除釦１７が支点部１７ｃを支点にして回動し、鎖錠ばね１５の鎖錠片１５ａを接触片２２ｂから離れる方向に撓ませ、芯線の弾性接続状態を解除することができる。なお、操作ハンドル１７ｂの前面端部には器体１の幅方向に沿って走る２条のリブ１７ｄが突設され、このリブ１７ｄが操作ハンドル１７ｂを操作する操作部位の目印となっている。
【００２８】
この器体１を組み立てる際には、先ず端子板２０Ａ，２０Ｂの接続片２３Ａ，２３Ｂに各一対の刃受部２１Ａ，２１Ｂをかしめ固定し、端子板２０Ｃの接地端子板２４に端子ねじ２５を取り付ける。そして、端子部２２Ａ〜２２Ｃに鎖錠ばね１５を納めた端子板２０Ａ〜２０Ｃをボディ２の各収納部９ａ〜９ｃに納めて、各接続片２３Ａ〜２３Ｃに設けた位置決め溝２３ａ，２３ａ′，２３ａ″をボディ２の隔壁１２，１２ａ′，１２ａ″と嵌合させることによりボディ２に位置決めして仮止めする。その後、支持片１６ｃを開口部３ｂの嵌合溝３ｃに嵌合することで扉１６が取り付けられ、開口３ｄに解除釦１７が納められたカバー３をボディ２の前面に被せて、ボディ２の挿通孔２ａに挿通した組立ねじ１４をカバー３のねじ穴に螺合することで、ボディ２とカバー３とが結合され、器体１の組立が完了する。
【００２９】
上述のように構成される器体１の前面は化粧カバー４で被われる。化粧カバー４は背面が開口する略矩形箱状に形成され、前面の略中央部にはボス部３ａが嵌入されてボス部３ａに設けられた差込口５，５を露出する露出窓４ａが設けられている。また、化粧カバー４の長手方向の一端部には扉１６の主片１６ａを挿通する挿通窓４ｂが開口してあり、この挿通窓４ｂを通して化粧カバー１８の前面側から扉１６を開閉可能としてある。
【００３０】
また、化粧カバー４の長手方向に沿った内壁面の両端部には前後方向に一対の突条４ｃ，４ｄが突設されており、これらの突条４ｃ，４ｄの間に形成される凹所４ｅにカバー３の係合突部３ｅを凹凸係合することで器体１（カバー３）の前面に化粧カバー４が着脱自在に被着される。なお、係合突部３ｅはカバー３の長手方向に沿った両側面の両端部に突設され、係合突部３ｅの前後には化粧カバー４の突条４ｃ，４ｄを逃がすための凹部３ｆ，３ｆが凹設されている。而して、化粧カバー４を前方からカバー３に押しつければ、一方の突条４ｄが係合突部３ｅと当接して化粧カバー４の側壁が撓み、やがて突条４ｄが係合突部３ｅを乗り越え、２つの突条４ｄ，４ｃの間の凹所４ｅに係合突部３ｅが嵌合することにより化粧カバー４がカバー３に固定される。ここで、突条４ｄの前面及び後面には係合突部３ｅを案内する傾斜面が形成され、係合突部３ｅの後面にも後方に向かって側面に近づく向きの傾斜面が形成されているので、カバー３に対する化粧カバー４の着脱を容易にしている。
【００３１】
そして、化粧カバー４を器体１の前面に被着した状態では化粧カバー４によって解除釦１７の操作ハンドル１７ｂが被われるから、操作ハンドル１７ｂが不用意に操作されて芯線の弾性接続状態が誤って解除されるのを防止できる。また、化粧カバー４は器体１の前面を全体的に被うものであり、壁面のような施工面に器体１を取り付ける場合には器体１を壁面に取り付けた後に器体１前面に取り付けられ、器体１の四隅に設けられたねじ挿通孔２ｂを被って外観上の見栄えを良くしている。
【００３２】
この露出コンセントを壁面のような施工面に施工する場合の手順について以下に説明する。まず、器体１の長手方向に沿った一端部の側面に開口する電線挿入口１１に電線の被覆が剥かれた芯線を挿入して、電線の芯線を対応する端子部２２Ａ〜２２Ｃに結線する。それから、ボディ２の四隅に設けたねじ挿通孔２ｂに取付ねじを挿通して器体１を施工面に固定し、器体１の前面に化粧カバー４を取り付けて施工が完了する。また、接地端子板２４に接地線を接続する場合は、扉１６の主片１６ａに設けた凹部１６ｄから指あるいはドライバ等を挿入して主片１６ａを開き、被覆を剥いて露出した接地線の芯線を凹部（カバー３の開口部３ｂ）の底に配置されている接地端子板２４と狭持板２５ａとの間に挟み込み、端子ねじ２５を締め付けることで接地端子板２４と狭持板２５ａとで接地線の芯線を強固に狭持させる。そして、凹部１６ｄから接地線を引き出すようにして扉１６の主片１６ａを閉じると、接地端子板２４が扉１６で隠されるために外観上の見栄えを良くすることができる。また、接地線を外す際にも扉１６を開けば直ちに接地端子板２４を露出させることができ、接地線の結線作業が容易に行えるものである。
【００３３】
また、この露出コンセントにプラグを差し込む場合には、プラグの栓刃を、カバー３の栓刃挿入口５ａ，５ｂの係合突起２１ｅが配置されている側と反対側の端に挿入した後、各栓刃を各栓刃挿入口５ａ，５ｂに沿って他方の端まで回転させると、刃受部２１Ａ，２１Ｂの係合突起２１ｅ，２１ｅが栓刃の透孔と係合して、プラグの抜け止めが行われる。また、プラグを逆方向に回転させれば、栓刃の透孔と係合突起２１ｅ，２１ｅとの係合が解除されて、プラグを引き抜くことができる。
【００３４】
（実施形態２）
本実施形態の露出コンセントを図７を参照して説明する。尚、刃受ばね２１Ｂ′以外の構成は実施形態１と同様であるので、共通する構成には同一の符合を付して説明を省略し、本実施形態の特徴となる構成についてのみ説明する。
【００３５】
実施形態１では、刃受部２１Ａと刃受部２１Ｂとを同一の形状に形成しているので、各一対の刃受部２１Ａ，２１Ｂを、それぞれ、端子板２０Ａ，２０Ｂの接続片２３Ａ，２３Ｂにかしめ固定した場合、刃受部２１Ａの取付片２１ｄは下側に突出しているのに対し、刃受部２１Ｂの取付片２１ｄは上側に突出している。
【００３６】
したがって、２口分の刃受部２１Ａ，２１Ｂの内、端子部２２Ａ，２２Ｂに近い側（上側）に位置する刃受部２１Ａ，２１Ｂでは、刃受部２１Ｂに設けた取付片２１ｄが刃受ばね２１ａ，２１ｂよりも端子部２２Ｂに近い側に位置し、端子部２２Ｂに近い部位で接続片２３Ｂにかしめ固定されているので、かしめ固定する際に端子板２０Ｂが変形したり、プラグに力が加わって端子板２０Ｂが変形したりすると、端子板２０Ｂの変形によって端子部２２Ｂの接触片２２ｂが浮き上がるなどして電線の抜けや、接触不良が発生する虞がある。
【００３７】
それに対して、本実施形態では、端子部２２Ｂに近い側（上側）に位置する刃受ばね２１Ｂ′の取付片２１ｄを、刃受ばね２１ａの下側縁から下方に向かって突設しており、刃受ばね２１ａ，２１ｂに対して端子部２２Ｂと反対側に位置させている。
【００３８】
このように、刃受ばね２１Ｂ′の取付片２１ｄを、刃受ばね２１ａ，２１ｂよりも、端子板２０Ｂにおける鎖錠ばね１５との対向部位（端子部２２Ｂ）からより遠い位置に配置しているので、実施形態１に比べて端子部２２Ｂからより遠い部位で接続片２３Ｂにかしめ固定することができ、かしめ固定による端子板２０Ｂの変形や、プラグに加わった外力による端子板２０Ｂの変形によって、接触片２２ｂの浮き上がり等の端子部２２Ｂの変形を少なくして、電線の外れや接触不良の発生を防止することができる。
【００３９】
（実施形態３）
本実施形態の露出コンセントを図８を参照して説明する。実施形態１では、端子板２０Ａ，２０Ｂと刃受部２１Ａ，２１Ｂとを別体とし、端子板２０Ａ，２０Ｂに各一対の刃受部２１Ａ，２１Ｂをかしめ固定しているのに対して、本実施形態では、一対の刃受部２１Ａ，２１Ａと端子部２２Ａと接続片２３Ａとを同一の板ばね材から折り曲げ形成して端子板２０Ａ′を一体構成するとともに、一対の刃受部２１Ｂ，２１Ｂと端子部２２Ｂと接続片２３Ｂとを同一の板ばね材から折り曲げ形成して端子板２０Ｂ′を一体構成している。尚、端子板２０Ａ′，２０Ｂ′以外の構成は実施形態１と同様であるので、共通する構成には同一の符合を付して説明を省略し、本実施形態の特徴となる構成についてのみ説明する。
【００４０】
上述のように、本実施形態では一対の刃受部２１Ａ，２１Ａと端子部２２Ａと接続片２３Ａとを同一の板ばね材から折り曲げ形成して端子板２０Ａ′を一体構成するとともに、一対の刃受部２１Ｂ，２１Ｂと端子部２２Ｂと接続片２３Ｂとを同一の板ばね材から折り曲げ形成して端子板２０Ｂ′を一体構成しているので、実施形態１のようにかしめ鋲２６を用いて刃受部２１Ａ，２１Ｂと端子板２０Ａ，２０Ｂとを結合する必要がなく、組立作業が容易になり、また構成部品数を削減できるから、コストダウンを図ることができる。さらに、刃受部２１Ａ，２１Ｂと接続片２３Ａ，２３Ｂとのかしめ部がなくなるから、刃受部２１Ａ，２１Ｂと接続片２３Ａ，２３Ｂとの連結部位の機械的強度が向上するとともに、刃受部２１Ａ，２１Ｂと端子部２２Ａ，２２Ｂとの電気的接続を確実にできる。
【００４１】
（実施形態４）
本実施形態の露出コンセントを図９及び図１０を参照して説明する。実施形態１では、電源用の栓刃がそれぞれ挿入される一対の栓刃挿入口５ａ，５ｂからなる差込口５をカバー３の前面に２口分設けるとともに、器体１の内部に各栓刃挿入口５ａ，５ｂに対応して刃受部２１Ａ，２１Ｂを納装しており、接地極用の栓刃を備えていないプラグのみが接続されるのに対して、本実施形態では、電源用の栓刃がそれぞれ挿入される一対の栓刃挿入口５ａ，５ｂ（電源側栓刃挿入口）と、接地極用の栓刃が挿入される栓刃挿入口５ｃ（接地側栓刃挿入口）とからなる差込口５′をカバー３の前面に２口分設け、器体１の内部に各栓刃挿入口５ａ，５ｂに対応して刃受部２１Ａ，２１Ｂ（電源側刃受部）を納装するとともに、栓刃挿入口５ｃに対応して刃受部２１Ｃ（接地側刃受部）を納装しており、電源用の一対の平行栓刃を備えたプラグと、電源用の一対の平行栓刃と接地極用の栓刃とを備えた接地極付きのプラグの両方を接続できるようになっている。尚、差込口５′及び刃受部２１Ｃ以外の構成は実施形態１と同様であるので、共通する構成には同一の符合を付して説明を省略し、本実施形態の特徴となる構成についてのみ説明する。
【００４２】
接地極用の刃受部２１Ｃは、電源用の刃受部２１Ａ，２１Ｂの刃受ばね２１ａ，２１ｂよりも広い間隔で互いに対向配置されて丸ピン型又は逆Ｕ型の栓刃を挟持する円弧状の一対の刃受ばね２１ａ′，２１ｂ′と、刃受ばね２１ａ′，２１ｂ′の基端縁同士を連続一体に連結する連結片２１ｃとが、弾性を有する導電性金属材料によって一体に形成されたもので、接地極用の端子板２０Ｃの接続片２３Ｃにかしめ等により機械的及び電気的に接続される。一対の刃受ばね２１ａ′，２１ｂ′はそれぞれ先端側が幅広に形成され、刃受ばね２１ａ′，２１ｂ′の間に栓刃を挿入し易くなっている。なお、刃受部２１Ｃを端子板２０Ｃと一体に形成しても良いことは勿論のことである。
【００４３】
一方、カバー３に形成された電源用の栓刃挿入口５ａ，５ｂ及び接地極用の栓刃挿入口５ｃはそれぞれ略円弧状に形成されている。一対の電源用の栓刃挿入口５ａ，５ｂは、それぞれ略同一円周上にあって、カバー３の長手方向と直交する方向の両側部に配置されている。また、接地極用の栓刃挿入口５ｃは、一対の電源用の栓刃挿入口５ａ，５ｂと同心の円周上にあって、両栓刃挿入口５ａ，５ｂの長手方向一端側に配置されており、ボディ２とカバー３とを結合した完成状態において栓刃挿入口５ａ，５ｂ，５ｃが器体１内に収納された刃受部２１Ａ，２１Ｂ，２１Ｃにそれぞれ対向している。なお、栓刃挿入口５ａ，５ｂ，５ｃの配置は、定格１５Ａ、１２５Ｖの極配置（ＪＩＳ  Ｃ  ８３０３参照）の接地極付き差込プラグに対応しており、この差込プラグでは互いに平板状に形成された電源用の一対の栓刃が平行に配設され、一対の栓刃の略中間部の一側に接地極用の栓刃が配置されている。
【００４４】
ここで、この露出コンセントにプラグを差し込む場合には、プラグの電源用の平行栓刃が、電源用の刃受部２１Ａ，２１Ｂにそれぞれ形成された係合突起２１ｅ，２１ｅと当接しないように、各栓刃をカバー３の電源用の栓刃挿入口５ａ，５ｂ及び接地極用の栓刃挿入口５ｃの一端側に挿入し、その後各栓刃を栓刃挿入口５ａ，５ｂ，５ｃに沿って他端側へ回転させると、刃受部２１Ａ，２１Ｂの係合突起２１ｅ，２１ｅが電源用の栓刃の透孔と係合して、プラグの抜け止めが行われる。また、プラグを逆方向に回転させれば、電源用の栓刃の透孔と係合突起２１ｅ，２１ｅとの係合が解除されて、プラグを引き抜くことができる。
【００４５】
【発明の効果】
上述のように、請求項１の発明は、プラグの栓刃がそれぞれ挿入される複数の栓刃挿入口が前面に設けられ、施工面に露出した状態で取り付けられる器体と、器体の内部に納装され各栓刃挿入口から差し込まれる栓刃にそれぞれ電気的に接続する複数の刃受部と、少なくとも一つの刃受部に設けられ栓刃が接続した状態で栓刃と係合してプラグの抜け止めを行う抜止部と、器体の内部に納装され各刃受部にそれぞれ電気的に接続される複数の端子板及び各端子板に外部から挿入される外部電線を弾接させる複数の鎖錠ばねからなる速結端子構造の端子と、を備え、刃受部は端子板にかしめ固定されており、器体はボディとカバーとを結合して構成され、ボディ及びカバーの結合状態において、ボディ又はカバーの内の一方との間で、刃受部と端子板とのかしめ部を挟持する第１の押さえリブを、ボディ又はカバーの内の他方に設けたことを特徴とし、端子板と鎖錠ばねとで構成される速結端子構造の端子を備えているので、特別な工具を用いることなく外部電線を端子部に容易に接続することができ、しかも抜止部で栓刃の抜け止めを行っているので、電源コードに足が引っ掛かかるなどしてプラグに力が加わったとしても栓刃が抜けるのを防止できるという効果がある。
【００４６】
また、電源コードに足を引っ掛けるなどしてプラグに力が加わった場合、抜止部で抜け止めを行っているために刃受部に外力が加わるが、刃受部と端子板とのかしめ部を第１の押さえリブとボディ又はカバーとの間で挟持しているので第１の押さえリブでプラグに加わる外力を受けることができ、かしめ部に外力が加わってかしめが外れるのを防止できるという効果がある。
【００４７】
請求項２の発明は、請求項１の発明において、器体はボディとカバーとを結合して構成され、ボディ及びカバーの結合状態において、ボディ又はカバーの内の一方との間で、鎖錠ばねと対向する端子板の部位を挟持する第２の押さえリブを、ボディ又はカバーの内の他方に設けたことを特徴とし、電源コードに足を引っ掛けるなどしてプラグに力が加わった場合、抜止部で抜け止めを行っているために刃受部に外力が加わり、刃受部に加わった外力によって端子板が変形する虞があるが、端子板を第２の押さえリブとボディ又はカバーとの間で挟持しているので第２の押さえリブで端子板に加わる外力を受けることができ、端子板が変形して電線の抜けや接触不良が発生するのを防止できるという効果がある。
【００４８】
請求項３の発明は、請求項１又は２の発明において、刃受部は、栓刃に電気的に接続される刃受ばねと、該刃受ばねから連続一体に延設され端子板にかしめ固定される取付片とを有し、取付片を、刃受ばねよりも、端子板における鎖錠ばねとの対向部位からより遠い位置に配置したことを特徴としている。取付片が、刃受ばねよりも、端子板における鎖錠ばねとの対向部位からより近い位置に配置されていると、プラグに引っ張り力が加わって刃受ばねに外力が加わった場合、刃受ばねに加わった外力の影響で端子板における鎖錠ばねとの対向部位が変形する虞があるが、取付片を、刃受ばねよりも、端子板における鎖錠ばねとの対向部位からより遠い位置に配置しているので、鎖錠ばねとの対向部位からより遠い位置で刃受部をかしめ固定することができ、刃受ばねに加わった外力の影響を端子板における鎖錠ばねとの対向部位が受けにくくなるから、鎖錠ばねとの対向部位が変形して外部電線の脱落や接触不良などの不具合が発生するのを防止できるという効果がある。
【００５０】
請求項４の発明は、請求項１乃至３の何れかの発明において、栓刃挿入口は、電源用の栓刃が挿入される電源側栓刃挿入口と、接地極用の栓刃が挿入される接地側栓刃挿入口とで構成され、刃受部は、電源側栓刃挿入口から挿入される電源用の栓刃に接続される電源側刃受部と、接地側栓刃挿入口から挿入される接地極用の栓刃に接続される接地側刃受部とで構成されることを特徴とし、接地極が設けられていないプラグと、接地極付きのプラグの両方を接続することができるという効果がある。
【図面の簡単な説明】
【図１】実施形態１の露出コンセントの分解斜視図である。
【図２】同上を示し、（ａ）は正面図、（ｂ）は上面図、（ｃ）は裏面図である。
【図３】同上のカバーと化粧カバーを外した状態を前面側から見た図である。
【図４】同上の一部破断せる側面図である。
【図５】同上に用いる端子板の分解斜視図である。
【図６】同上の露出コンセントの要部断面図である。
【図７】実施形態２の露出コンセントを示し、カバーと化粧カバーを外した状態を前面側から見た図である。
【図８】実施形態３の露出コンセントに用いる端子板の斜視図である。
【図９】実施形態４の露出コンセントを示し、（ａ）は正面図、（ｂ）は上面図、（ｃ）は裏面図である。
【図１０】同上のカバーと化粧カバーを外した状態を前面側から見た図である。
【符号の説明】
Ａ  露出コンセント
１  器体
５ａ，５ｂ  栓刃挿入口
２１Ａ，２１Ｂ  刃受部
２１ａ，２１ｂ  刃受ばね
２２Ａ〜２２Ｃ  端子部
２４  接地端子板
【図１】
0003820980.tif 000002
【図２】
0003820980.tif 000003
【図３】
0003820980.tif 000004
【図４】
0003820980.tif 000005
【図５】
0003820980.tif 000006
【図６】
0003820980.tif 000007
【図７】
0003820980.tif 000008
【図８】
0003820980.tif 000009
【図９】
0003820980.tif 000010
【図１０】
0003820980.tif 000011